(57)【要約】【課題】組立ての際に側板部に巻き回した固定紐で箱体の形状を維持する箱体において、簡便迅速に組立てられることを維持しながら、側板部の倒れを防止して直立させる。【解決手段】側板部のうち向かい合う一組の側板部（２５、２５）は、その両側端からそれぞれ延びる羽根（５０）を有するとともに、各羽根（５０）は固定紐（Ｓ）が通る羽根貫通孔（５１）を有し、固定紐（Ｓ）は側板部（２０、２３、２５、２５）が直立するように各側板部貫通孔と各羽根貫通孔を一巡して通るように設けられ、各羽根（５０）は、隣り合う側板部（２０）に沿って内部に折り曲げられて隣り合う側板部（２０）に重ねられるとともに、羽根貫通孔（５１）は、隣り合う側板部（２０）の側板部貫通孔（２１）に対して固定紐が通過可能な重なり部分（Ｄ）を有するように設けられてなる。【選択図】図８
2020045123.tif 000002
【特許請求の範囲】
【請求項１】
矩形形状の底板部（１０）と、
この底板部（１０）の各辺から延びる矩形形状の側板部（２０、２３、２５，２５）と、
前記側板部のうちのひとつから延びる蓋板部（３０）と、
前記蓋板部からさらに延びる押さえ板部（４０）と、
前記側板部（２０、２３、２５、２５）に開けられた複数の側板部貫通孔（２１）に摺動自在に通され引き絞られた固定紐（Ｓ）と、を備えた箱体（Ａ）であって、
前記側板部のうち向かい合う一組の側板部（２５、２５）は、その両側端からそれぞれ延びる一対の羽根（５０、５０）を有するとともに、各羽根（５０）は、前記固定紐（Ｓ）が通る羽根貫通孔（５１）を有し、
前記固定紐（Ｓ）は、前記側板部（２０、２３、２５、２５）が直立するように各側板部貫通孔（２１）と各羽根貫通孔（５１）を一巡して通るように設けられ、
各羽根（５０）は、隣り合う側板部（２０、２３）に沿って内部に折り曲げられて前記隣り合う側板部（２０、２３）に重ねられるとともに、前記羽根貫通孔（５１）は、前記隣り合う側板部（２０、２３）の側板部貫通孔（２１）に対して前記固定紐が通過可能な重なり部分（Ｄ）を有するように設けられてなり、
前記固定紐（Ｓ）は、前記重なり部分において各貫通孔（２１、５１）の周縁部（Ｃｆ、Ｃｓ）に接して挟まることにより、各側板部（２０、２３、２５、２５）が前記底板部に対して直立を維持する箱体（Ａ）。
【請求項２】
前記羽根貫通孔（５１）と前記側板部貫通孔（２１）は、断面が円形であって、
前記羽根貫通孔の中心（Ｏｓ）は、隣り合う側板部（２０、２３）に開けられた前記側板部貫通孔（２１）の中心（Ｏｆ）に対し、前記箱体（Ａ）の垂直方向には同じ高さに位置するとともに前記固定紐が通るだけの重なり部分（Ｄ）を有するように前記箱体（Ａ）の水平方向には前記隣合う側板部（２０、２３）の中央側に偏心して配置されている請求項１に記載の箱体（Ａ）。
【請求項３】
前記押さえ板部（４０）は、前記側板部（２３）の前記側板部貫通孔（２１、２１）を臨む切込みまたは貫通孔を有し、
前記押さえ板部（４０）と前記側板部（２３）が重ねられて、
前記側板部（２３）の前記側板部貫通孔（２１）を通った固定紐（Ｓ）は押さえ板部（４０）の切込みまたは貫通孔を通って固定されている請求項１または２に記載の箱体。
【請求項４】
固定紐（Ｓ）を用いて箱体を形成するためのブランク（ｂ）であって、
前記ブランクは、
矩形形状の底板部（１０）と、
この底板部（１０）の各辺に接続部（１６）を介して接続された矩形形状の側板部（２０）と、
前記側板部のうちのひとつに接続部（１６）を介して接続された矩形形状の蓋板部（３０）と、
前記蓋板部にさらに接続部（１６）を介して接続された押さえ板部（４０）とを備え、
前記底板部を挟んで向かい合う一組の側板部（２５、２５）は、前記底板部が接続された辺に隣り合う両辺にそれぞれ接続部（１６）を介して接続された羽根（５０、５０）を備え、
各側板部は、前記固定紐が貫通するための側板部貫通孔（２１）が開けられるとともに、
各羽根は、前記固定紐が貫通するための羽根貫通孔（５１）が開けられ、
前記底板部（１０）に対して前記側板部（２０、２３、２５、２５）が立てられるとともに前記羽根（５０、５０）が隣り合う側板部（２０、２３）に沿って内部に折り曲げられて前記隣り合う側板部（２０、２３）に重ねられ、前記側板部貫通孔（２１）と前記羽根貫通孔（５１）に一巡するように前記固定紐（Ｓ）が通されて箱体（Ａ）が組立てられた際に、
前記側板部が直立を維持するように前記固定紐（Ｓ）が通過する、各羽根の前記羽根貫通孔（５１）とこの羽根に重ねられた前記側板部（２０、２３）の前記側板部貫通孔（２１）との重なり部分（Ｄ）が生じて、前記重なり部分（Ｄ）に固定紐（Ｓ）が挟まるように、各羽根の貫通孔（５１）とこの羽根に重ねられた前記側板部（２０、２３）の前記側板部貫通孔（２１）が配置されているブランク。
【請求項５】
前記羽根貫通孔（５１）と前記側板部貫通孔（２１）は、断面が円形であって、
前記箱体が組立てられた際に、
前記羽根貫通孔の中心（Ｏｓ）は、隣り合う側板部（２０、２３）に開けられた前記側板部貫通孔（２１）の中心（Ｏｆ）に対し、前記箱体の高さ方向には同じ高さに位置するとともに前記固定紐が通るだけの重なり部分（Ｄ）を有するように前記箱体の水平方向には前記側板部（２０）の中央側に偏心して配置された請求項４記載のブランク。
【請求項６】
前記押さえ板部（４０）は、前記側板部（２３）に開けられた側板部貫通孔（２１）を臨む切込みまたは貫通孔を有し、
箱体（Ａ）を組立てた際に、前記押さえ板部（４０）と前記側板部（２３）を重ねて前記側板部（２３）の前記側板部貫通孔（２１）を通した固定紐（Ｓ）は押さえ板部（４０）の切込みまたは貫通孔を通って押さえ板部を固定できるようにした請求項４または５記載のブランク。
【発明の詳細な説明】
【技術分野】
【０００１】
本発明は組立てが可能な包装用の箱体に関し、美粧性を確保しながら簡便迅速に組立てることができる箱体に関する。
【背景技術】
【０００２】
一枚の平面状の厚紙、プラスチック等のブランク（板材）を折り曲げ、接着剤や紐などで固定して形状を維持する箱体は、一般に、底板部と、底板部の周囲に立てられた側板部と、この側板部に繋がり、側板部で作る開口部を閉鎖する開閉可能な蓋板部などから構成される。このような箱体は意匠性の高い包み紙などを用いるとともにその内部にギフトやお菓子などを収納して、季節感を演出したり特別なイベントなどを訴求したりする際に用いられることが多い。
【０００３】
組立ての際に接着剤を使って形状を維持する箱体は、箱体の展開図に従って折線をプレスして切り抜いた平面状のブランクを、折線に沿って折り曲げた後にのりしろを接着して立体である箱体に組立てられる。
【０００４】
しかしながら、組立てに接着材を用いる場合は、接着の工程が必要となり、箱体を包装に用いる販売店などの現場で簡便迅速に組立てることが困難である。
【０００５】
このため、用途によっては、接着ではなく各側板部に紐を通して巻き回して箱体の形状を維持する場合がある。このようにすると、箱体の組立てが現場で簡便迅速にできるとともに、輸送や保管の際は平状態（フラットなブランクの状態）として省スペースを図りながら、包装に用いる際はその内部に物品が収納可能な箱体に組立てることができるため、便利である。このような紐を巻き回して箱体とする技術は、巾着に用いられているものがある（特許文献１）。
【０００６】
しかしながら、この技術は、いわゆる巾着締めであるため、蓋板部のない箱体について側板部に通した紐を締めることによって、各側板部の中央部の折り曲げ個所を突き合わせて側板部上部の開口部を閉鎖する（特許文献１第１図）。このため、蓋板部を備えた直方体形状の箱体を形成することはできなかった。
【０００７】
また、巾着締め以外では、箱蓋に関するものがあり、この技術は、固定紐を通すための袖（紐の固定装置）を箱蓋の側板部に備え、この袖に通した固定紐を組立ての際に絞ることにより箱蓋を形成する（特許文献２）。
【０００８】
しかしながら、このような袖を箱体の側板部に備えるとすると側板部の製造の際の加工の手間が増加する。のみならず、平面状のブランクから箱体を組立てる場合は、ブランクの製造工程が複雑になるため採用が困難である。
また、組立ての際に固定紐を袖に通す場合、袖の長さや紐と袖の寸法関係などによっては紐を通すことが困難な場合もあるため、簡便迅速な組立てができない恐れがある。さらに、蓋で箱体を閉鎖する場合、側板部に設けた袖と干渉して閉鎖が困難になることがある。加えて、袖が存在することにより、箱体の意匠における美粧性が劣化する場合がある。
このため、ブランクから箱体を組立てる場合は、袖を採用することが困難である。
【０００９】
以上の考察から、接着剤を用いずに固定紐によって形状を維持する箱体を検討し、各側板部に貫通孔を複数設け、この貫通孔に順次紐を通して締め、簡便迅速に各側板部を固定することを考えた。この場合、試作をしてみると、紐の張力により側板部が箱体の内側に倒れる現象が生じることがわかった。
そこで、固定紐に張力がかかった場合でも側板部の倒れを防止して直立を維持するための検討を進め、側板部に羽根を設けるとともにこれらに設けた固定紐が通る貫通孔の位置についての知見が得られ、本発明に至った。
【先行技術文献】
【特許文献】
【００１０】
【特許文献１】実開平２−４３２３１
【特許文献２】特開平９−２９５６３６
【発明の概要】
【発明が解決しようとする課題】
【００１１】
本発明の目的は、組立ての際に側板部に巻き回した固定紐で形状を維持する箱体において、簡便迅速に組立てられることを維持しながら、側板部の倒れを防止してその直立を維持する箱体を提供することである。
【課題を解決するための手段】
【００１２】
（請求項１）
本発明はこのような目的を達成するために、矩形形状の底板部と、この底板部の各辺から延びる矩形形状の側板部と、側板部のうちのひとつから延びる蓋板部と、蓋板部からさらに延びる押さえ板部と、側板部に開けられた複数の側板部貫通孔に摺動自在に通され引き絞られた固定紐と、を備えた箱体であって、
側板部のうち向かい合う一組の側板部は、その両側端からそれぞれ延びる一対の羽根を有するとともに、各羽根は、固定紐が通る羽根貫通孔を有し、
固定紐は、側板部が直立するように各側板部貫通孔と各羽根貫通孔を一巡して通るように設けられ、
各羽根は、隣り合う側板部に沿って内部に折り曲げられて隣り合う側板部に重ねられるとともに、羽根貫通孔は、隣り合う側板部の側板部貫通孔に対して固定紐が通過可能な重なり部分を有するように設けられてなり、
固定紐は、重なり部分において各貫通孔の周縁部に接して挟まることにより、各側板部が底板部に対して直立を維持することを特徴とする。
このようにすることで、固定紐に張力がかけられても、側板部の倒れが防止される。
また、固定紐は、ゴム紐等の弾性体であってもよく、または、リボン等の非弾性体であってもよい。
【００１３】
（請求項２）
また、羽根貫通孔と側板部貫通孔は、断面が円形であって、羽根貫通孔の中心は、隣り合う側板部に開けられた側板部貫通孔の中心に対し、箱体の垂直方向には同じ高さに位置するとともに固定紐が通るだけの重なり部分を有するように箱体の水平方向には側板部の中央側に偏心して配置されていることが好ましい。
このようにすることで、固定紐に張力がかけられても、側板部の倒れが防止され、簡便迅速に箱体を組立てることができる。
【００１４】
（請求項３）
また、押さえ板部は、側板部の側板部貫通孔を臨む切込みまたは貫通孔を有し、押さえ板部と側板部が重ねられて、側板部の側板部貫通孔を通った固定紐は押さえ板部（４０）の切込みまたは貫通孔を通って固定されていることが好ましい。
このようにすることで、固定紐で箱体の形状を維持する際に、押さえ板部と側板部を重ねて側板部の側板部貫通孔を通した固定紐を、押さえ板の切込みまたは貫通孔を通すことにより、固定紐を結ぶと押さえ板を併せて固定紐で固定することができ、箱体の閉鎖状態を維持することができる。
また、この際、押さえ板部は、切り込みを備えてもよい。
【００１５】
（請求項４）
本発明は、固定紐を用いて箱体を形成するためのブランクであって、
前記ブランクは、
矩形形状の底板部と、
この底板部の各辺に接続部を介して接続された矩形形状の側板部と、
側板部のうちのひとつに接続部を介して接続された矩形形状の蓋板部と、
蓋板部にさらに接続部を介して接続された押さえ板部とを備え、
底板部を挟んで向かい合う一組の側板部は、底板部が接続された辺に隣り合う両辺にそれぞれ接続部を介して接続された羽根を備え、
各側板部は、固定紐が貫通するための側板部貫通孔が開けられるとともに、
各羽根は、固定紐が貫通するための羽根貫通孔が開けられ、
底板部に対して側板部が立てられるとともに羽根が隣り合う側板部に沿って内部に折り曲げられて隣り合う側板部に重ねられ、側板部貫通孔と羽根貫通孔に一巡するように固定紐が通されて箱体が組立てられた際に、
側板部が直立を維持するように固定紐が通過する、各羽根の羽根貫通孔とこの羽根に重ねられた側板部の側板部貫通孔との重なり部分が生じて、重なり部分に固定紐が挟まるように、各羽根の貫通孔とこの羽根に重ねられた側板部の側板部貫通孔が配置されていることを特徴とする。
このようにすることで、箱体を組立てた際に固定紐に張力がかけられても、側板部の倒れが防止され、簡便迅速に箱体が組立てられるブランクが提供できる。
また、このブランクは、各板が一体に形成された紙基材であり、紙基材は、段ボールまたは各板部をくるみ紙で両側から層状に挟んで貼り付け一体に形成されたものでもよい。美粧性のよい箱体を提供できるからである。
さらに、紙基材に限らず、シート状のプラスチックや合成紙、それらが混合されたシートでも差し支えない。
【００１６】
（請求項５）
羽根貫通孔と側板部貫通孔は、断面が円形であって、隣り合う側板部に開けられた側板部貫通孔の中心に対し、箱体が組立てられた際に、前記羽根貫通孔の中心は、箱体の高さ方向には同じ高さに位置するとともに固定紐が通るだけの重なり部分を有するように箱体の水平方向には側板部の中央側に偏心して配置されることが好ましい。
このようにすることで、固定紐に張力がかけられても側板部の倒れが防止され簡便迅速に箱を組立てることができるブランクを提供できる。
【００１７】
（請求項６）
押さえ板部は、側板部に開けられた側板部貫通孔を臨む切込みまたは貫通孔を有し、
箱体を組立てた際に、押さえ板部と側板部を重ねて側板部の前記側板部貫通孔を通した固定紐は押さえ板部の切込みまたは貫通孔を通って押さえ板部を固定できるようにすることが望ましい。
このようにすることで、固定紐で形状を維持する際に、押さえ板部と側板部を重ねて側板部の側板部貫通孔を通した固定紐を、押さえ板の切込みまたは貫通孔を通すことにより、固定紐を結ぶと押さえ板を併せて固定紐で固定することができ、箱体の閉鎖状態を維持することができるブランクを提供できる。
以下、本発明を実施例に従ってさらに説明する。
【発明の効果】
【００１８】
以上のような手段によるため、組立ての際に、側板部に巻き回した固定紐で形状を維持する箱体において、簡便迅速に組立てられることを維持しながら側板部の倒れを防止することができる。
【図面の簡単な説明】
【００１９】
【図１】本発明の箱体の各台紙の平面図である。
【図２】本発明の板材であるブランク（箱体の展開平面図）である。
【図３】本発明の箱体の組立て完成時を示す斜視図である。
【図４】図３の箱体の組立ての開始直後の状態を示した斜視図である。
【図５】図３の箱体の組立ての中間状態を示した斜視図である。
【図６】箱体の側板部が倒れる説明図である。
【図７】箱体の側板部の倒れを防止する説明図である。
【図８】箱体の固定紐と貫通孔の関係を示す説明図である。（ａ）は、側板部２０の側板部貫通孔２１と羽根５０の羽根貫通孔５１の位置関係を示したもので、（ｂ）は、その貫通孔同士の中心の関係を示したものである。
【発明を実施するための形態】
【００２０】
第２図は、本発明の箱体Ａの板材であるブランクｂを示している。ブランクｂは、矩形の底板部１０と、側板部２０、２３と、側板部２５、２５とその羽根５０、５０、蓋板部３０、押さえ板部４０を有する。
後述するように、本例の固定紐Ｓは、側板部２０、２３の側板部貫通孔２１及び側板部２５、２５の側板部貫通孔２１、５１を通り、固定紐Ｓを引き絞って完成した箱体Ａの緊密性を保持するとともに箱体Ａの形状を維持するものであるが、その際に、側板部２０、２３、２５、２５が箱体Ａの内部に倒れることを防止する。
【００２１】
（くるみ紙によるブランク）
第１図に示すように、各板部となる台紙のセットａを作成する。それぞれの台紙１０ａ、２０ａ、２３ａ、２５ａ、２５ａ、３０ａ、４０ａ、５０ａを１枚のくるみ紙（不図示）に接着し、これをもう１枚のくるみ紙（不図示）で包んだ後に接着して、第２図に示すように一体化したブランクｂを製造することができる。くるみ紙に接着するときに図１のように各台紙の間隔１６ａについて調整し、ブランクｂを製造しさらに箱体Ａに組立てたときに、所望の形状が得られるようにする。
図１で示す各台紙に対応するブランクｂの各板部１０、２０、２３、２５、２５、３０、４０、５０は、それぞれこの調整した間隔１６ａの個所が他の板部と接続する接続部１６となる。間隔１６ａを適当にとることにより、各接続部１６で折り曲げを可能にすることができる。この接続部１６は、後述の一体製造されたブランクの場合の折線１６に相当する。
くるみ紙で包む手法は、美粧性の高い箱体を製作する場合に用いられる。くるみ紙の絵柄を選択することができるため、美粧性の高い箱体のバリエーションを豊かにすることができる。
【００２２】
（一体製造によるブランク）
第２図に示すように、ブランクｂは、例えば段ボールなどの厚紙に、折線１６をプレス加工して全体を切り抜き、一体に製造することができる。ブランクｂの各板１０、２０、２３、２５、２５、３０、４０、５０は、第１図の各台紙１０ａ、２０ａ、２３ａ、２５ａ、２５ａ、３０ａ、４０ａ、５０ａに対応する。底板部１０、側板部２０、２３、２５、２５、蓋板部３０、押さえ板部４０、及び羽根５０は折線１６で区分される。折線１６があるとこれを起点に折り曲げが容易になるため、１枚のブランクｂから完成品の箱体Ａを簡便迅速に組立てることができる。
【００２３】
くるみ紙からブランクを製造する場合であっても切り抜き等からブランクを製造する場合であっても、中間製造品のブランクｂをあらかじめ製造することで、箱体Ａを組立てる場所への輸送の際に省スペースを実現でき、また、組立ての前に在庫として保管する際も省スペースを実現することができる。
以下、ブランクｂは、いずれのブランクの製造方法による場合も、箱体Ａを組立てる共通の中間材として本明細書で説明をする。
【００２４】
（ブランクｂの各板部）
ブランクｂの各板部１０、２０、２３、２５、２５、３０、４０の接続具合を説明する。ブランクｂは、矩形形状の底板部１０と、この底板部１０の各辺から延びる矩形形状の側板部２０、２３、２５、２５と、この側板部のうちのひとつの側板部２０から延びる蓋板部３０と、この蓋板部３０からさらに延びる押さえ板部４０とを有する。各板部の接続は、箱体Ａが組立てられる際にそれぞれの接続部１６で少なくとも直角に曲げることができる。
【００２５】
（底板部）
底板部１０は矩形形状であり、これを囲む四つの側板部２０が、それぞれ底板部１０の四辺に設けられている。側板部２０，２３、２５、２５は、いずれも底板部１０と折線１６で折り曲げ可能である。
【００２６】
（側板部）
底板部１０の一辺に接続されている側板部２０は矩形形状であり、底板部１０の反対側には蓋部３０が接続されている。蓋板部３０が接続されている側の側板部２０の両側のコーナー部に、側板部貫通孔２１がそれぞれ開けられている。側板部貫通孔２１は、ブランクｂから箱体Ａが組立てられる際に、形状を維持するために固定紐Ｓが通される孔である。
底板部１０に関して側板部２０の反対側の一辺に接続されている側板部２３は、側板部２０と同様に矩形形状である。側板部２０と同様に、側板部２３も、底板部１０を挟んで側板部２０と対称の位置である側板部２３の両側のコーナー部に、側板部貫通孔２１がそれぞれ設けられている。側板部貫通孔２１は、ブランクｂから箱体Ａが組立てられる際に、形状を維持するために固定紐Ｓが通される孔である。
【００２７】
（側板部）
側板部２０が接続する底板部１０の両隣の辺にそれぞれ接続されている側板部２５は、底板部２０、２３と同様に矩形形状である。底板部１０に関し側板部２５の側板部１０の接続部１６と反対側の辺に近いコーナー部に、側板部貫通孔２１がそれぞれ開けられている。
なお、後述のように側板部２５は、一対の羽根５０、５０が左右の側端から伸びて形成されている（図２）。
【００２８】
（貫通孔）
側板部貫通孔２１は、側板部２０、２３、２５、２５に開けられている。ブランクｂから箱体が組立てられる際に、形状を維持するために固定紐Ｓが通される孔である（図３参照）。
側板部２３に開けられた側板部貫通孔２１は、完成した箱体Ａに関してその高さ方向の位置は前述のように同一である。また、箱体Ａのコーナー部からの水平方向の位置も同一である。このようにすると、対称性が高くなり固定の強度が高くなる。また、意匠性も整った印象を与えることができる。
ただし、側板部貫通孔２１の位置は、各側板部２０、２３、２５、２５で同一でなくとも差し支えない。この場合は、固定紐Ｓを側板部貫通孔２１を通して、各側板部２０、２３、２５、２５の外側を巻きまわす際に、箱体Ａのコーナー部では側板部貫通孔２１からその内部を通すことができれば、固定紐を締めることにより、側板部２０、２１、２１、２５を直立させて箱体Ａの形状を維持することができる。
なお、側板部２１を箱体Ａの水平方向についてコーナー部に近づければ箱体Ａの内部に物品を収納するスペースは大きくすることができ、遠ざければその反対に小さくなる。
【００２９】
（羽根）
側板部２５の両側端からそれぞれ羽根５０が折線１６を介し伸びて形成されている。羽根５０は、箱体Ａが組立てられたときに箱板Ａのコーナー部で側板部２０に重ねられて二重となるため、箱体Ａの緊密性が保ちやすい。箱体Ａのコーナー部を接着せずに突合せにすると、隙間ができやすく箱体Ａの緊密性が低下する。羽根５０を箱体Ａの内部に入れることにより、箱体Ａのコーナー部で羽根５０と隣の側板部２０が面と面で重なるため、固定紐Ｓで固定する場合でも箱体Ａの緊密性が高くすることができる。。また、コーナー部の強度も高くすることができる利点がある。
加えて、箱体Ａの内部に入った羽根５０は隣の側板部２０に対し、面と面で重なるため、隣の側板部２０が内側に倒れようとする際に側板部２５が羽根５０を介してその力を受けることができるため、側板部２０の倒れ防止の機能がある。
なお、後述するように、羽根５０の羽根貫通孔５１を固定紐Ｓが通過するため、側板部２０の倒れ防止機能のみならず、側板部２５の倒れ防止機能も本例の羽根５０は有している。
【００３０】
（蓋）
蓋３０は、底板部１０が接続されている側板部２０の反対側の辺に折線１６を介して設けられている。蓋３０は、底板部１０と同じ大きさで、箱体Ａが組立てられたときに底板部１０と相対する位置になる。
押さえ板部４０は、側板部２０が接続されている蓋３０の反対側の辺に、折線１６を介して設けられている。押さえ板部４０は、箱体Ａが組立てられたときにその内部に物品を収納して蓋３０を閉めて閉空間を作ることができる。
押さえ板部４０は、蓋３０を閉めるために、固定紐Ｓが蓋と係止するための切込み４１を有する。切込み４１の代わりに貫通孔を有してもよい。
【００３１】
（箱体Ａの組立て方法）
ブランクｂは、各板１０、２０、２３，２５、３０、４０、５０を画する折線１６を折り曲げて組立てることができる。箱体Ａの完成時は、立体となり、直方体形状を有する。なお、立方体形状とすることも差し支えない。このようなブランクｂから固定紐Ｓを用いて形状を維持する完成した箱体Ａとするのは、以下のような手順で行う。
【００３２】
まず、図４に示すように、ブランクｂの側板部２０、２３、２５、２５の側板部貫通孔２１及び羽根５０の羽根貫通孔５１に固定紐Ｓを通す。固定紐Ｓは基本的に側板部２０，２３、２５の箱体Ａの外部側を巻き回すが、羽根５０がある箱体Ａのコーナー部においては、側板部貫通孔２１から箱体Ａの内部に入り羽根５０の羽根貫通孔５１を経由して隣の側板部２０、２３の側板部貫通孔２１を経由して箱体Ａの外部に出るようにする。このようにして箱体Ａの周囲を巻き回し、蓋板部４０が被さる側板部２３の側板部貫通孔２１、２１から固定紐Ｓの両端部がでてくるように固定紐Ｓをセットする。
【００３３】
次に、図５に示すように、各側板部２０、２３、２５、２５を底板部１０の折線１６から直角に立ち上がるように曲げるとともに、各羽根５０は箱体Ａの内部に入るように側板部２５の折線１６を折りたたむ。
この状態にした後に、固定紐Ｓを引くと、各側板部２０、２３、２５、２５は、底板部１０の折線１６から直角に立ち上がる。そして、蓋板部３０を側板部２５の折線１６から折り曲げるとともに押さえ板部４０を蓋板部３０の折線１６から折り曲げると、蓋３０を閉じることができ、その内部に物品が収納可能な箱体Ａが形成される。
さらに、図４に示すように、側板部２３の側板部貫通孔２１を通って箱体Ａの外側に伸びた固定紐Ｓの両端部を押さえ部４０の切込み４１の外側を通るように巻き回して結ぶと、蓋３０が固定されて、箱体Ａが完成する。
【００３４】
（側板部の直立を維持する仕組み）
このとき、各側板部２０、２３、２５、２５は底板部１０の折線１６から直角に立ち上がる状態を維持するのであるが、その仕組みを説明する。
図６は、箱体Ａ´の側板部２５´が倒れる説明図である。箱体Ａ´において固定紐Ｓ´が箱体Ａ´に水平に巻き回された場合の固定紐Ｓ´を含む水平断面の箱体Ａ´のコーナー部を模式的に示している。なお、この場合、各板について、説明の便宜のために、本発明の説明で用いた参照番号に「´」をつけて、以下図面とともに説明する。
図６に示すように、箱体Ａ´を完成させるために固定紐Ｓ´を巻きまわして締めると、固定紐Ｓ´にはその軸線方向に張力Ｔが働く。この張力Ｔは、以下に示すように、側板部２５´を箱体Ａ´の内部（内側）に引き倒す力Ｆを発生させる。
固定紐Ｓ´は、側板部２５´に対し、箱体Ａ´の外側側面、すなわち側板部２５´の外側側面を通り、箱体Ａ´のコーナー部では箱体Ａ´の内部（内側）に入り、コーナー部で重ねられた羽根５０´と側板部２０´のそれぞれの羽根貫通孔５１´、２１´を貫いて通り、側板部２０´の外側側面（すなわち、箱体Ａ´の外側側面）に出たあと側板部２０´に沿って巻き回される。このため、固定紐Ｓ´に張力Ｔが働くと固定紐Ｓ´は直線状態になろうとして側板部２５´を箱体Ａ´の内側に倒そうとする力Ｆが働く。この結果、図６に示すように側板部２５´は箱体Ａ´の内側に倒れることになる。この場合の倒れ量をＬとする。
【００３５】
この倒れ方を観察すると、そもそも、固定紐Ｓ´は、各側板部を起立させて箱体Ａ´の形状を維持するために箱体Ａ´の外部を巻き回して締めるものである。しかし、箱体Ａ´の四隅のコーナー部では、固定紐Ｓ´は側板部貫通孔２１、５１を通って箱体Ａ´の内部を通る構造としている。これは、固定紐Ｓ´が箱体Ａ´から外れにくくして一定の位置を保つとともに、貫通孔を通す作業が簡単にできるため、箱体Ａ´を簡便迅速に完成させることができるようにするためである。
このような構造であるため、常に側板部２０´、２３´、２５´、２５´は、箱体Ａ´の内側に倒れようとする力Ｆが働く。このうち、側板部２０´に対しては、隣の側板部２５´の羽根５０´が箱体Ａ´のコーナー部でその内部に直角に曲がって側板部２０´に沿って重なっているため、羽根５０´を介して側板部２０´、２３´が箱体Ａ´の内部（内側）に倒れようとする力Ｆを受け止めることができる。このようにすると、側板部２０´、２３´が箱体Ａ´の内側に倒れることを防止できる。
【００３６】
しかし、側板部２５´に対しては、側板部２５´が内側に倒れようとする力Ｆを受け止めることができない。このため、羽根５０´を介して底板部１０´で受け止める構造も考えられるが、このようにすると羽根５０´を直立させた際に羽根５０´の下端部と底板部１０´がちょうど接するようにする必要があり、製造時の寸法ばらつきを考えると、きわめて精密に組立てる必要が生じるため、実現が困難である。
また、側板部２０´と羽根５０´のそれぞれの側板部貫通孔２１´と羽根貫通孔５１´の位置関係については、側板部２０´を直立させて箱体Ａ´を完成させたときにちょうど重なる位置に設けるのが自然であるが、そうすると箱体Ａ´のコーナー部を斜めにわたる固定紐Ｓ´に前述のように張力Ｔが働くと、結果として側板部２５´が箱体Ａ´の内部に倒れ量Ｌだけ倒れることが分かった。
【００３７】
そこで、本例では、図８に示すように、最初から羽根５０の羽根貫通孔５１を側板部２０の側板部貫通孔２１に対し、箱体Ａの水平方向内側にコーナー部と反対側に偏心して配置することとした。なお、図８は、側板部２０の側板部貫通孔２１について説明しているが、側板部２３の側板部貫通孔２１でも同様である。
図８は、その状態の一例を示したものであり、（ａ）は、側板部２０の側板部貫通孔２１と羽根５０の羽根貫通孔５１の位置関係を示したもので、側板部２０に対し側板部２５の羽根５０が重ねられた状態のものを箱体Ａの内側から見た状態を模式的に表している。図に示されるように、羽根貫通孔５１は側板部貫通孔２１に対して箱体Ａの水平方向（紙面の左右方向）に対してコーナー部と反対の側板部２１の中央側に偏心して配置されている。
【００３８】
このように偏心して配置したものを、先述の図６と同様にして固定紐Ｓを通した状態を示したものが図７である。図７に示すように、固定紐Ｓに張力Ｔが働いた場合に、図６同様に、側板部２５は箱体Ａの内側に倒れようとするが、羽根５０の羽根貫通孔５１が箱体Ａの内側に向けて水平方向にシフトをしている。このシフト量をＭとすると、図６で示すように倒れ量Ｌに相当する分だけシフトさせればよい。このようにすると、固定紐Ｓは、側板部２０の側板部貫通孔２１の周縁部Ｃｆと羽根５０の羽根貫通孔５１の周縁部Ｃｓとに接することにより支えられて、側板部２５の内側の倒れようとする力Ｆに抗することができる。
倒れ量Ｌは、側板部貫通孔２１、５１の形状と大きさ、固定紐Ｓの太さ、固定紐の張力、側板部の剛性などを主要なファクターとして決まる量である。
【００３９】
図８（ｂ）は、羽根貫通孔５１のシフト量Ｍの計算の目安を説明するものである。側板部貫通孔２１と羽根貫通孔５１はいずれも貫通孔の断面が直径ｒの円形で、それぞれの中心をＯｆ、Ｏｓとしている。また、固定紐Ｓは、側板部貫通孔２１と羽根貫通孔５１を通るためには、固定紐Ｓの断面の直径ｇは側板部貫通孔２１、５１のそれぞれの直径ｒより小さくする必要がある。そうすると、両貫通孔の距離ｄは、ｄ＝２ｒ−ｇで示され、この距離ｄをシフト量Ｍとすることもできる。
さらに、側板部貫通孔２１と羽根貫通孔５１の間に固定紐Ｓがちょうど挟まった場合（ｇ＝ｒ、不図示）は、側板部２０、２３の側板部貫通孔２１の周縁部Ｃｆと側板部２５の羽根貫通孔５１の周縁部Ｃｓに接するとともにそれぞれの貫通孔２１、５１の内壁の周面が固定紐Ｓを挟むこととなり、固定紐Ｓと貫通孔２１、５１の間の遊びが少なくなるので、さらに側板部２５の倒れを防止することができる。
【産業上の利用可能性】
【００４０】
本発明は、美粧性を確保しながら簡便迅速に組立てることができる箱体に好適であり、さらに、組立てが可能な包装用の箱体に広く利用が可能である。
【符号の説明】
【００４１】
Ａ  箱体、箱
ａ  台紙のセット
ｂ  ブランク、板材
１０ａ  底板部（台紙）
１６ａ  間隔、接続部
２０ａ  側板部（台紙）、２１ａ  貫通孔（台紙）
２３ａ  側板部（台紙）
２５ａ  側板部（台紙）
３０ａ  蓋板部（台紙）
４０ａ  押さえ板部（台紙）
５０ａ  羽根（台紙）、５１ａ  羽根貫通孔（台紙）
１０  底板部
１６  折線、接続部
２０  側板部、２１  側板部貫通孔
２３  側板部
２５  側板部
３０  蓋板部
４０押さえ板部、４１  切込み、
５０  羽根、５１  羽根貫通孔、
Ａ´  箱体、箱
１０´  底板部
１６´  折線、接続部
２０´  側板部、２１´  側板部貫通孔、
２３´  側板部
２５´  側板部
３０´  蓋板部
５０´  羽根、５１´  羽根貫通孔、
Ｄ  重なり部分
Ｆ  倒れようとする力
Ｍ  シフト量
Ｓ  固定紐
Ｏｆ  側板部貫通孔の中心
Ｏｓ  羽根貫通孔の中心
Ｃｆ  側板部貫通孔の周縁部
Ｃｓ  羽根貫通孔の周縁部
ｒ  側板部貫通孔と羽根貫通孔の半径
ｄ  側板部貫通孔と羽根貫通孔の中心間の距離
ｇ  固定紐の径
【図１】
2020045123.tif 000003
【図２】
2020045123.tif 000004
【図３】
2020045123.tif 000005
【図４】
2020045123.tif 000006
【図５】
2020045123.tif 000007
【図６】
2020045123.tif 000008
【図７】
2020045123.tif 000009
【図８】
2020045123.tif 000010